【手続補正書】
【提出日】平成20年11月21日(2008.11.21)
【手続補正１】
【補正対象書類名】特許請求の範囲
【補正対象項目名】全文
【補正方法】変更
【補正の内容】
【特許請求の範囲】
【請求項１】
各々の文書に割り当てられた文書識別情報を指定する文書指定手段と、
前記文書指定手段によって指定された文書識別情報を、通信手段を介して接続された文書配信装置に送信する識別情報送信手段と、
暗号化された領域を含む文書を表す暗号化文書データと、当該暗号化文書データが表す文書に含まれる暗号化された領域の秘密保持期限を表す期限情報とを、前記文書配信装置から前記通信手段を介して受信して記憶する記憶手段と、
前記記憶手段に記憶されている暗号化文書データを表示又は出力するように指示されると、当該暗号化文書データにおいて暗号化されている領域の各々について、前記期限情報が表す秘密保持期限が経過していない領域を復号せず、前記秘密保持期限が経過した領域を復号し、その復号結果を表示または出力する復号出力手段と
を備えることを特徴とする受信装置。
【請求項２】
各々の動画データに割り当てられた動画識別情報を指定する動画指定手段と、
前記動画指定手段によって指定された動画識別情報を、通信手段を介して接続された動画配信装置に送信する識別情報送信手段と、
暗号化されたオブジェクトを含む動画を表す暗号化動画データと、当該暗号化動画データが表す動画に含まれる暗号化されたオブジェクトの秘密保持期限を表す期限情報とを、前記動画配信装置から前記通信手段を介して受信して記憶する記憶手段と、
前記記憶手段に記憶されている暗号化動画データを表示又は出力するように指示されると、当該暗号化動画データにおいて暗号化されているオブジェクトの各々について、前記期限情報が表す秘密保持期限が経過していないオブジェクトを復号せず、前記秘密保持期限が経過したオブジェクトを復号し、その復号結果を表示または出力する復号出力手段と
を備えることを特徴とする受信装置。
【請求項３】
前記通信手段を介して接続された時間認証装置から現在日時を表す日時情報を取得する日時情報取得手段を備え、
前記復号出力手段は、前記日時情報取得手段が取得した日時情報が表す現在日時が前記期限情報が表す秘密保持期限を経過していない領域を復号せず、前記現在日時が前記期限情報が表す秘密保持期限を経過した領域を復号し、その復号結果を表示または出力することを特徴とする請求項１又は２記載の文書受信装置。
【請求項４】
コンピュータを、
各々の文書に割り当てられた文書識別情報を指定されると、指定された文書識別情報を、通信手段を介して接続された文書配信装置に送信する識別情報送信手段と、
暗号化された領域を含む文書を表す暗号化文書データと、当該暗号化文書データが表す文書に含まれる暗号化された領域の秘密保持期限を表す期限情報とを、前記文書配信装置から前記通信手段を介して受信して記憶する記憶手段と、
前記記憶手段に記憶されている暗号化文書データを表示又は出力するように指示されると、当該暗号化文書データにおいて暗号化されている領域の各々について、前記期限情報が表す秘密保持期限が経過していない領域を復号せず、前記秘密保持期限が経過した領域を復号し、その復号結果を表示または出力する復号出力手段
として機能させるためのプログラム。
【請求項５】
コンピュータを、
各々の動画に割り当てられた動画識別情報を指定されると、指定された動画識別情報を、通信手段を介して接続された動画配信装置に送信する識別情報送信手段と、
暗号化されたオブジェクトを含む動画を表す暗号化動画データと、当該暗号化動画データが表す動画に含まれる暗号化されたオブジェクトの秘密保持期限を表す期限情報とを、前記動画配信装置から前記通信手段を介して受信して記憶する記憶手段と、
前記記憶手段に記憶されている暗号化動画データを表示又は出力するように指示されると、当該暗号化動画データにおいて暗号化されているオブジェクトの各々について、前記期限情報が表す秘密保持期限が経過していないオブジェクトを復号せず、前記秘密保持期限が経過したオブジェクトを復号し、その復号結果を表示または出力する復号出力手段
として機能させるためのプログラム。
【請求項６】
文書データが表す文書を決められた領域毎に分離する分離手段と、
前記分離手段によって分離された各々の領域を暗号化する暗号化手段と、
前記暗号化手段によって暗号化された領域を含む文書データを、当該文書データに割り当てられた文書識別情報と対応付けて記憶するとともに、前記分離手段によって分離された各々の領域について秘密保持期限を表す期限情報を記憶する記憶手段と、
通信手段を介して接続された文書受信装置から前記文書識別情報を受信すると、当該文書識別情報が割り当てられた文書データと、当該文書データに含まれる領域の秘密保持期限を表す期限情報とを前記記憶手段から読み出し、読み出した文書データを暗号化文書データとして、読み出した前記期限情報とともに前記文書受信装置に送信する送信手段と
を備えることを特徴とする文書配信装置。
【請求項７】
文書における領域の位置に応じた秘密保持期限を設定する位置期限設定手段と、
前記分離手段によって分離された領域の位置を特定し、当該位置に対して前記位置期限設定手段により設定された秘密保持期限を、当該領域の秘密保持期限として前記期限情報を前記記憶手段に記憶させる書込手段と
を備えることを特徴とする請求項６記載の文書配信装置。
【請求項８】
画像の解像度レベルに応じた秘密保持期限を設定する解像度期限設定手段と、
前記分離手段によって分離された領域のうち画像領域の解像度を特定し、特定した解像度に相当する解像度レベルに対して前記解像度期限設定手段により設定された秘密保持期限を、当該画像領域の秘密保持期限として前記期限情報を前記記憶手段に記憶させる書込手段と
を備えることを特徴とする請求項６記載の文書配信装置。
【請求項９】
予め決められたキーワードに応じた秘密保持期限を設定するキーワード期限設定手段と、
前記文書データが表す文書に含まれるキーワードを抽出し、抽出したキーワードに対して前記キーワード期限設定手段により設定された秘密保持期限を、当該キーワードを含む領域の秘密保持期限として前記期限情報を前記記憶手段に記憶させる書込手段と
を備えることを特徴とする請求項６記載の文書配信装置。
【請求項１０】
前記分離手段は、前記文書のレイアウトに従って当該文書を前記領域毎に分離することを特徴とする請求項６記載の文書配信装置。
【請求項１１】
ユーザからの各々の前記領域の指定を受け付ける領域指定受付手段を備え、
前記分離手段は、ユーザが前記領域指定受付手段を用いて指定した領域毎に分離することを特徴とする請求項６記載の文書配信装置。
【請求項１２】
ユーザから前記領域の秘密保持期限の指定を受け付ける期限指定受付手段と、
前記期限指定受付手段によってユーザから受け付けた秘密保持期限を、当該領域の秘密保持期限として前記期限情報を前記記憶手段に記憶させる書込手段と
を備えることを特徴とする請求項６記載の文書配信装置。
【請求項１３】
動画データが表す動画を決められたオブジェクト毎に分離する分離手段と、
前記分離手段によって分離された各々のオブジェクトを暗号化する暗号化手段と、
前記暗号化手段によって暗号化されたオブジェクトを含む動画データを、当該動画データに割り当てられた動画識別情報と対応付けて記憶するとともに、前記分離手段によって分離された各々のオブジェクトについて秘密保持期限を表す期限情報を記憶する記憶手段と、
通信手段を介して接続された動画受信装置から前記動画識別情報を受信すると、当該動画識別情報が割り当てられた動画データと、当該動画データに含まれるオブジェクトの秘密保持期限を表す期限情報とを前記記憶手段から読み出し、読み出した動画データを暗号化動画データとして、読み出した前記期限情報とともに前記動画受信装置に送信する送信手段と
を備えることを特徴とする動画配信装置。
【請求項１４】
ユーザからの各々の前記オブジェクトの指定を受け付けるオブジェクト指定受付手段を備え、
前記分離手段は、ユーザが前記オブジェクト指定受付手段を用いて指定したオブジェクト毎に分離することを特徴とする請求項１３記載の動画配信装置。
【請求項１５】
ユーザから前記オブジェクトの秘密保持期限の指定を受け付ける期限指定受付手段と、
前記期限指定受付手段によってユーザから受け付けた秘密保持期限を、当該オブジェクトの秘密保持期限として前記期限情報を前記記憶手段に記憶させる書込手段と
を備えることを特徴とする請求項１３記載の動画配信装置。
【請求項１６】
コンピュータを、
文書データが表す文書を決められた領域毎に分離する分離手段と、
前記分離手段によって分離された各々の領域を暗号化する暗号化手段と、
前記暗号化手段によって暗号化された領域を含む文書データを、当該文書データに割り当てられた文書識別情報と対応付けて記憶するとともに、前記分離手段によって分離された各々の領域について秘密保持期限を表す期限情報を記憶する記憶手段と、
通信手段を介して接続された文書受信装置から前記文書識別情報を受信すると、当該文書識別情報が割り当てられた文書データと、当該文書データに含まれる領域の秘密保持期限を表す期限情報とを前記記憶手段から読み出し、読み出した文書データを暗号化文書データとして、読み出した前記期限情報とともに前記文書受信装置に送信する送信手段
として機能させるためのプログラム。
【請求項１７】
コンピュータを、
動画データが表す動画を決められたオブジェクト毎に分離する分離手段と、
前記分離手段によって分離された各々のオブジェクトを暗号化する暗号化手段と、
前記暗号化手段によって暗号化されたオブジェクトを含む動画データを、当該動画データに割り当てられた動画識別情報と対応付けて記憶するとともに、前記分離手段によって分離された各々のオブジェクトについて秘密保持期限を表す期限情報を記憶する記憶手段と、
通信手段を介して接続された動画受信装置から前記動画識別情報を受信すると、当該動画識別情報が割り当てられた動画データと、当該動画データに含まれるオブジェクトの秘密保持期限を表す期限情報とを前記記憶手段から読み出し、読み出した動画データを暗号化動画データとして、読み出した前記期限情報とともに前記動画受信装置に送信する送信手段
として機能させるためのプログラム。
【請求項１８】
文書配信装置と、前記文書配信装置と通信手段を介して接続された複数の文書受信装置とを備え、
前記文書配信装置は、
文書データが表す文書を決められた領域毎に分離する分離手段と、
前記分離手段によって分離された各々の領域を暗号化する暗号化手段と、
前記暗号化手段によって暗号化された領域を含む文書データを、当該文書データに割り当てられた文書識別情報と対応付けて記憶するとともに、前記分離手段によって分離された各々の領域について秘密保持期限を表す期限情報を記憶する記憶手段と、
前記文書受信装置から前記文書識別情報を受信すると、当該文書識別情報が割り当てられた文書データと、当該文書データに含まれる領域の秘密保持期限を表す期限情報とを前記記憶手段から読み出し、読み出した文書データを暗号化文書データとして、読み出した前記期限情報とともに当該文書受信装置に送信する送信手段と
を備え、
前記文書受信装置は、
各々の文書に割り当てられた文書識別情報を指定する文書指定手段と、
前記文書指定手段によって指定された文書識別情報を、前記文書配信装置に送信する識別情報送信手段と、
暗号化された領域を含む文書を表す暗号化文書データと、当該暗号化文書データが表す文書に含まれる暗号化された領域の秘密保持期限を表す期限情報とを、前記文書配信装置から受信して記憶する記憶手段と、
自装置の前記記憶手段に記憶されている暗号化文書データを表示又は出力するように指示されると、当該暗号化文書データにおいて暗号化されている領域の各々について、前記期限情報が表す秘密保持期限が経過していない領域を復号せず、前記秘密保持期限が経過した領域を復号し、その復号結果を表示または出力する復号出力手段と
を備えることを特徴とする文書配信システム。
【請求項１９】
動画配信装置と、前記動画配信装置と通信手段を介して接続された複数の動画受信装置とを備え、
前記動画配信装置は、
動画データが表す動画を決められたオブジェクト毎に分離する分離手段と、
前記分離手段によって分離された各々のオブジェクトを暗号化する暗号化手段と、
前記暗号化手段によって暗号化されたオブジェクトを含む動画データを、当該動画データに割り当てられた動画識別情報と対応付けて記憶するとともに、前記分離手段によって分離された各々のオブジェクトについて秘密保持期限を表す期限情報を記憶する記憶手段と、
前記動画受信装置から前記動画識別情報を受信すると、当該動画識別情報が割り当てられた動画データと、当該動画データに含まれるオブジェクトの秘密保持期限を表す期限情報とを前記記憶手段から読み出し、読み出した動画データを暗号化動画データとして、読み出した前記期限情報とともに当該動画受信装置に送信する送信手段と
を備え、
前記動画受信装置は、
各々の動画に割り当てられた動画識別情報を指定する動画指定手段と、
前記動画指定手段によって指定された動画識別情報を、前記動画配信装置に送信する識別情報送信手段と、
暗号化されたオブジェクトを含む動画を表す暗号化動画データと、当該暗号化動画データが表す動画に含まれる暗号化されたオブジェクトの秘密保持期限を表す期限情報とを、前記動画配信装置から受信して記憶する記憶手段と、
自装置の前記記憶手段に記憶されている暗号化動画データを表示又は出力するように指示されると、当該暗号化動画データにおいて暗号化されているオブジェクトの各々について、前記期限情報が表す秘密保持期限が経過していないオブジェクトを復号せず、前記秘密保持期限が経過したオブジェクトを復号し、その復号結果を表示または出力する復号出力手段と
を備えることを特徴とする動画配信システム。
【手続補正２】
【補正対象書類名】明細書
【補正対象項目名】発明の名称
【補正方法】変更
【補正の内容】
【発明の名称】受信装置、配信装置、プログラム及びシステム
【手続補正３】
【補正対象書類名】明細書
【補正対象項目名】０００４
【補正方法】変更
【補正の内容】
【０００４】
上記目的を達成するために、本発明は、文書配信装置と、前記文書配信装置と通信手段を介して接続された複数の文書受信装置とを備え、前記文書配信装置は、文書データが表す文書を決められた領域毎に分離する分離手段と、前記分離手段によって分離された各々の領域を暗号化する暗号化手段と、前記暗号化手段によって暗号化された領域を含む文書データを、当該文書データに割り当てられた文書識別情報と対応付けて記憶するとともに、前記分離手段によって分離された各々の領域について秘密保持期限を表す期限情報を記憶する記憶手段と、前記文書受信装置から前記文書識別情報を受信すると、当該文書識別情報が割り当てられた文書データと、当該文書データに含まれる領域の秘密保持期限を表す期限情報とを前記記憶手段から読み出し、読み出した文書データを暗号化文書データとして、読み出した前記期限情報とともに当該文書受信装置に送信する送信手段とを備え、前記文書受信装置は、各々の文書に割り当てられた文書識別情報を指定する文書指定手段と、前記文書指定手段によって指定された文書識別情報を、前記文書配信装置に送信する識別情報送信手段と、暗号化された領域を含む文書を表す暗号化文書データと、当該暗号化文書データが表す文書に含まれる暗号化された領域の秘密保持期限を表す期限情報とを、前記文書配信装置から受信して記憶する記憶手段と、自装置の前記記憶手段に記憶されている暗号化文書データを表示又は出力するように指示されると、当該暗号化文書データにおいて暗号化されている領域の各々について、前記期限情報が表す秘密保持期限が経過していない領域を復号せず、前記秘密保持期限が経過した領域を復号し、その復号結果を表示または出力する復号出力手段とを備えることを特徴とする文書配信システムを提供する。
【手続補正４】
【補正対象書類名】明細書
【補正対象項目名】０００５
【補正方法】変更
【補正の内容】
【０００５】
また、本発明は、動画配信装置と、前記動画配信装置と通信手段を介して接続された複数の動画受信装置とを備え、前記動画配信装置は、動画データが表す動画を決められたオブジェクト毎に分離する分離手段と、前記分離手段によって分離された各々のオブジェクトを暗号化する暗号化手段と、前記暗号化手段によって暗号化されたオブジェクトを含む動画データを、当該動画データに割り当てられた動画識別情報と対応付けて記憶するとともに、前記分離手段によって分離された各々のオブジェクトについて秘密保持期限を表す期限情報を記憶する記憶手段と、前記動画受信装置から前記動画識別情報を受信すると、当該動画識別情報が割り当てられた動画データと、当該動画データに含まれるオブジェクトの秘密保持期限を表す期限情報とを前記記憶手段から読み出し、読み出した動画データを暗号化動画データとして、読み出した前記期限情報とともに当該動画受信装置に送信する送信手段とを備え、前記動画受信装置は、各々の動画に割り当てられた動画識別情報を指定する動画指定手段と、前記動画指定手段によって指定された動画識別情報を、前記動画配信装置に送信する識別情報送信手段と、暗号化されたオブジェクトを含む動画を表す暗号化動画データと、当該暗号化動画データが表す動画に含まれる暗号化されたオブジェクトの秘密保持期限を表す期限情報とを、前記動画配信装置から受信して記憶する記憶手段と、自装置の前記記憶手段に記憶されている暗号化動画データを表示又は出力するように指示されると、当該暗号化動画データにおいて暗号化されているオブジェクトの各々について、前記期限情報が表す秘密保持期限が経過していないオブジェクトを復号せず、前記秘密保持期限が経過したオブジェクトを復号し、その復号結果を表示または出力する復号出力手段とを備えることを特徴とする動画配信システムを提供する。
本発明によれば、配信装置は、文書を決められた領域毎に分離して各領域を暗号化し、秘密保持期限を表す期限情報と共に受信装置に提供する。受信装置は、期限情報によって示されている期限が経過したか否かにより、暗号化された各領域を復号するか否かを判断し、その暗号化された部分の上記期限が経過したときにはその部分の内容を復号する。よって、文書や動画の一部分を暗号化するとともに、その暗号化された部分の暗号化した状態を保っておくべき期限が経過したときにはその部分の内容を公開することが可能となる。